(57)【要約】【課題】外部からの熱に対応した浴室換気乾燥暖房機を提供する。【解決手段】浴室換気乾燥暖房機１Ａは、天井パネル１００に形成された開口部１０２に挿入される本体シャーシ２１の外周に、開口部１０２を塞ぐフランジ部２４が形成された本体部２と、フランジ部２４を露出させて本体部２を覆う不燃ケース３と、フランジ部２４の上面に貼り付けられて、開口部１０２に露出するフランジ部２４の上面を全周にわたって覆うアルミテープ２７とを備える。【選択図】        図１
2010112660.tif 000002
【特許請求の範囲】
【請求項１】
設置場所に形成された開口部に挿入される本体シャーシの外周に、前記開口部を塞ぐフランジ部が形成された本体部と、
前記フランジ部を露出させて前記本体部を覆う金属ケースと、
前記フランジ部の上面を全周にわたって覆い、金属箔で構成される断熱部材と
を備えたことを特徴とする設備機器。
【請求項２】
前記断熱部材の上面に防湿部材を備え、
前記本体部の前記フランジ部が、前記断熱部材及び前記防湿部材を挟んで締結手段で前記設置場所に固定される
ことを特徴とする請求項１記載の設備機器。
【請求項３】
設置場所に形成された開口部に挿入される本体シャーシの外周に、前記開口部を塞ぐフランジ部が形成された本体部と、
前記フランジ部を露出させて前記本体部を覆う金属ケースと、
前記金属ケースの内面と前記金属ケースに覆われる前記本体シャーシの間の空間に配置される断熱材と
を備えたことを特徴とする設備機器。
【請求項４】
設置場所に形成された開口部に挿入される本体シャーシの外周に、前記開口部を塞ぐフランジ部が形成された本体部と、
前記フランジ部を露出させて前記本体部を覆う金属ケースと、
前記本体部で少なくとも前記金属ケースに覆われる前記本体シャーシの表面を被覆する金属薄膜層と
を備えたことを特徴とする設備機器。
【請求項５】
前記フランジ部の上面を全周にわたって覆い、金属箔で構成される断熱部材を備えた
ことを特徴とする請求項３または４記載の設備機器。
【発明の詳細な説明】
【技術分野】
【０００１】
本発明は、浴室等の室内の天井に設置される設備機器に関する。
【背景技術】
【０００２】
従来、建物の天井に設置される換気装置は、熱源を持たないため、樹脂製のケースで覆われている。一方、浴室の天井に設置される浴室換気乾燥暖房機は、熱源としてヒータを持つため金属ケースで覆われている（例えば、特許文献１参照）。これにより、装置内部からの熱に対応できるようにしている。
【０００３】
【特許文献１】特開２００４−１６２９５０号公報
【発明の開示】
【発明が解決しようとする課題】
【０００４】
従来の浴室換気乾燥暖房機は、自機の内部からの熱による外部への影響には対応している。一方、外部からの熱に対応するという課題がある。
【課題を解決するための手段】
【０００５】
上述した課題を解決するため、本発明は、設置場所に形成された開口部に挿入される本体シャーシの外周に、開口部を塞ぐフランジ部が形成された本体部と、フランジ部を露出させて本体部を覆う金属ケースと、フランジ部の上面を全周にわたって覆い、金属箔で構成される断熱部材とを備えた設備機器である。
【０００６】
本発明の設備機器では、設置場所に形成された開口部に金属ケースで覆われた本体部が入れられ、本体部のフランジ部で設置場所の開口部がふさがれて、設置場所に固定される。
【０００７】
設備機器に対する外部からの熱は、本体部を覆う金属ケースと、フランジ部の上面の断熱部材で受けられ、本体部に直接熱が伝わらないようにする共に、設置場所の開口部から熱が回らないようにする。
【０００８】
また、本発明は、設置場所に形成された開口部に挿入される本体シャーシの外周に、開口部を塞ぐフランジ部が形成された本体部と、フランジ部を露出させて本体部を覆う金属ケースと、金属ケースの内面と金属ケースに覆われる本体シャーシの間の空間に配置される断熱材とを備えた設備機器である。
【０００９】
本発明の設備機器では、設置場所に形成された開口部に入れられる本体部は、本体シャーシが金属ケースで覆われると共に断熱材で断熱される。設備機器に対する外部からの熱は、本体部を覆う金属ケースと断熱材で受けられ、本体部に直接熱が伝わらないようにする。
【００１０】
更に、本発明は、設置場所に形成された開口部に挿入される本体シャーシの外周に、開口部を塞ぐフランジ部が形成された本体部と、フランジ部を露出させて本体部を覆う金属ケースと、本体部で少なくとも金属ケースに覆われる本体シャーシの表面を被覆する金属薄膜層とを備えた設備機器である。
【００１１】
本発明の設備機器では、設置場所に形成された開口部に入れられる本体部は、本体シャーシが金属ケースで覆われると共に、金属ケースで覆われる本体シャーシの表面が金属薄膜層によって空気から遮断される。設備機器に対する外部からの熱は、本体部を覆う金属ケースで受けられ、本体部に直接熱が伝わらないようにすると共に、本体シャーシの表面に空気が供給されないようにする。
【発明の効果】
【００１２】
本発明の設備機器によれば、外部からの熱に対応することができる。
【発明を実施するための最良の形態】
【００１３】
以下、図面を参照して本発明の設備機器の実施の形態としての空調装置の一例である浴室換気乾燥暖房機について説明する。
【００１４】
＜第１の実施の形態の浴室換気乾燥暖房機の構成例＞
図１は、第１の実施の形態の浴室換気乾燥暖房機の一例を示す断面図、図２は、第１の実施の形態の浴室換気乾燥暖房機の一例を示す要部断面図、図３は、第１の実施の形態の浴室換気乾燥暖房機の一例を示す平面図である。
【００１５】
第１の実施の形態の浴室換気乾燥暖房機１Ａは、本体部２と、本体部２を覆う不燃ケース３を備える。本体部２は、ファンモータ２０Ｍに回転駆動されるファン２０Ｆと、ヒータ２０Ｈと、ファンケースを構成する本体シャーシ２１を備える。
【００１６】
本体部２は、ファン２０Ｆの軸方向に沿った下側が開口して吸込口２２ａが形成される。また、本体部２は、ファン２０Ｆによる空気の吹出方向に沿った下側に吹出口２２ｂが形成され、ファン２０Ｆによる空気の吹出方向に沿った側面に排気口２２ｃが形成される。
【００１７】
更に、本体部２は、吹出口２２ｂと排気口２２ｃとの間で風路を切り替える風路切替ダンパ２３を備える。風路切替ダンパ２３は、図示しないダンパモータの駆動力が伝達され、吹出口２２ｂと排気口２２ｃの開閉動作を行う。
【００１８】
浴室換気乾燥暖房機１Ａは、風路切替ダンパ２３の位置を、図１に実線で示すように排気口２２ｃを閉じる循環位置とすると、吹出口２２ｂが開いて、吸込口２２ａから吹出口２２ｂへ連通した循環風路が形成される。
【００１９】
また、浴室換気乾燥暖房機１Ａは、風路切替ダンパ２３の位置を、図１に一点鎖線で示すように吹出口２２ｂを閉じる換気位置とすると、排気口２２ｃが開いて、吸込口２２ａから排気口２２ｃへ連通した換気風路が形成される。
【００２０】
更に、浴室換気乾燥暖房機１Ａは、風路切替ダンパ２３の位置を、図１に二点鎖線で示す循環位置と換気位置の間の循環換気位置とすると、吹出口２２ｂと排気口２２ｃの双方が開いて、循環風路と換気風路の双方が形成される。
【００２１】
ヒータ２０Ｈは、例えばＰＴＣヒータが吹出口２２ｂに設けられる。風路切替ダンパ２３を循環位置または循環換気位置とし、ファンモータ２０Ｍが駆動されファン２０Ｆが回転されると共に、ヒータ２０Ｈに通電されると、ヒータ２０Ｈが加熱されることで吹出口２２ｂを通る空気が暖められ、吹出口２２ｂから温風が吹き出される。
【００２２】
なお、浴室換気乾燥暖房機１Ａの本体部２としては、循環ファンと換気ファンを別々に備えて循環風路と換気風路が独立した構成等でも良い。
【００２３】
本体シャーシ２１は、ファンモータ２０Ｍ、ファン２０Ｆ及びヒータ２０Ｈ等が取り付けられる空間が形成されるファンケース部２１ａと、ファンケース部２１ａの下部の周縁から外側に突出するフランジ部２４を備える。
【００２４】
本体シャーシ２１は、難燃性を有した樹脂材料、本例では本例ではＡＢＳ樹脂［アクリロニトリル（Acrylonitrile）、ブタジエン（Butadiene）、スチレン（Styrene）共重合合成樹脂］で構成され、ファンケース部２１ａがフランジ部２４の内周側の上面から突出する形態で一体に形成される。
【００２５】
フランジ部２４は、浴室換気乾燥暖房機１Ａを天井パネル１００に取り付けるための締結手段であるネジ１０１が挿入される穴部２４Ｈが形成される。穴部２４Ｈは、ネジ１０１の軸部１０１ａの径より大きく、頭部１０１ｂの径より小さい直径で開口する。
【００２６】
本体シャーシ２１は、不燃ケース３が固定される固定突起２５を備える。固定突起２５は、ファンケース部２１ａの上部及び側部に一体に設けられ、ネジ２６が締結される穴部２５Ｈが形成される。
【００２７】
本体シャーシ２１は、フランジ部２４の上面に配置されるアルミテープ２７を備える。アルミテープ２７は金属箔による断熱部材の一例で、本例では、非鉄金属であるアルミニウム箔の裏面に粘着剤を塗布して構成される。
【００２８】
アルミテープ２７は、浴室換気乾燥暖房機１Ａを天井パネル１００に形成された開口部１０２に取り付けたときに、開口部１０２に露出するフランジ部２４の上面の内周側に沿った所定の範囲に、全周にわたって貼り付けられる。なお、アルミテープ２７は、浴室換気乾燥暖房機１Ａを天井パネル１００に取り付けるためのネジ１０１が挿入される穴部２４Ｈを露出させて、フランジ部２４の上面全体に貼り付けられる構成としても良い。
【００２９】
本体シャーシ２１は、アルミテープ２７の上面にパッキン２７ａを備える。パッキン２７ａは防湿部材の一例で、難燃性の例えばスポンジで構成される。パッキン２７ａは、アルミテープ２７の上面全体に貼り付けられ、フランジ部２４の全周に配置される。なお、アルミテープ２７とパッキン２７ａは、一体の構成でも良い。
【００３０】
不燃ケース３は金属ケースの一例で、本体部２を構成する本体シャーシ２１に被せられる中空で下面が開口した略直方体形状の構造物が、金属の板材で構成される。不燃ケース３は、本体シャーシ２１に被せられると、下端部３０Ｕがフランジ部２４の内周側の上面に接触して、フランジ部２４を露出させると共に、フランジ部２４の上側で、ファンケース部２１ａの側部と上部の全体を覆う形状を有する。
【００３１】
不燃ケース３は、排気口２２ｃに合わせて開口が形成される。また、不燃ケース３は、本体シャーシ２１の固定突起２５に合わせて穴部３０Ｈが形成される。穴部３０Ｈは、固定突起２５に締結されるネジ２６の軸部の径より大きく、頭部の径より小さい直径で開口する。
【００３２】
浴室換気乾燥暖房機１Ａは、本体部２に不燃ケース３が被せられ、不燃ケース３の穴部３０Ｈに挿入されたネジ２６が、本体シャーシ２１の固定突起２５に締結される。
【００３３】
本体部２に不燃ケース３が被せられ、ネジ２６で固定されると、本体シャーシ２１のファンケース部２１ａを覆う不燃ケース３の下端部３０Ｕが、フランジ部２４の上面に接触する。
【００３４】
フランジ部２４の上面には、不燃ケース３の下端部３０Ｕが接触する位置を含めてアルミテープ２７が貼り付けられており、不燃ケース３の下端部３０Ｕとフランジ部２４の上面のアルミテープ２７の間に、不燃ケース３の内部の本体シャーシ２１が、外部からの熱に直接晒されるような隙間が形成されないように構成される。
【００３５】
浴室換気乾燥暖房機１Ａは、不燃ケース３の一の側面に、排気口２２ｃとつながるダクトジョイント４が取り付けられる。ダクトジョイント４は、金属の板材で構成される。
【００３６】
浴室換気乾燥暖房機１Ａは、本体部２の下部にフロントパネル５が取り付けられる。フロントパネル５は、吸込口２２ａの位置に合わせて吸込口グリル５０ａが形成されると共に、吹出口２２ｂの位置に合わせて吹出口グリル５０ｂが形成される。
【００３７】
浴室換気乾燥暖房機１Ａの設置例について説明すると、浴室換気乾燥暖房機１Ａは、浴室の天井パネル１００に形成された開口部１０２から、不燃ケース３で覆われた本体部２が天井裏に入れられる。天井パネル１００には、取付金具１０３が設置され、本体シャーシ２１のフランジ部２４の穴部２４Ｈに挿入されたネジ１０１が、フランジ部２４と取付金具１０３の間に天井パネル１００を挟んだ状態で、取付金具１０３に締結される。
【００３８】
これにより、浴室換気乾燥暖房機１Ａのフランジ部２４と取付金具１０３で天井パネル１００が挟持され、浴室換気乾燥暖房機１Ａが天井パネル１００に取り付けられる。天井パネル１００に取り付けられた浴室換気乾燥暖房機１Ａは、本体部２の下部にフロントパネル５が取り付けられる。
【００３９】
天井パネル１００に取り付けられるフランジ部２４の上面には、アルミテープ２７が貼り付けられているが、アルミテープ２７は厚さが薄いので、天井パネル１００に対する本体部２の取り付け高さに影響を及ぼすことはない。
【００４０】
浴室換気乾燥暖房機１Ａの動作について説明すると、浴室換気乾燥暖房機１Ａは、ファンモータ２０Ｍが駆動されてファン２０Ｆが回転駆動されると、フロントパネル５の吸込口グリル５０ａを介して吸込口２２ａから浴室内の空気が吸い込まれる。
【００４１】
風路切替ダンパ２３の位置が図１に実線で示す循環位置であると、吸込口２２ａから吹出口２２ｂへの循環風路が形成されるので、吸込口２２ａから吸い込まれた空気は、循環風路を通り吹出口２２ｂからフロントパネル５の吹出口グリル５０ｂを介して浴室内に吹き出される。ヒータ２０Ｈは吹出口２２ｂに配置されるので、ヒータ２０Ｈに通電されることで、循環風路を通る空気が温められて、温風が吹出口グリル５０ｂから吹き出す。
【００４２】
これにより、風路切替ダンパ２３を循環位置として、ファンモータ２０が駆動されると、ヒータ２０Ｈに通電した場合は、浴室内の空気を循環させながら、浴室内に温風が吹き出される。ヒータ２０Ｈに非通電の場合は、浴室内の空気を循環させながら、室温に応じた涼風が浴室内に吹き出される。
【００４３】
風路切替ダンパ２３の位置が図１に一点鎖線で示す換気位置であると、吸込口２２ａから排気口２２ｃへの換気風路が形成されるので、吸込口２２ａから吸い込まれた空気は、換気風路及び排気口２２ｃを通り、屋外へ排気される。
【００４４】
これにより、風路切替ダンパ２３を換気位置として、ファンモータ２０Ｍが駆動されると、浴室内の湯気や湿気が排気される。
【００４５】
風路切替ダンパ２３の位置が図１に二点鎖線で示す循環換気位置であると、吸込口２２ａから吹出口２２ｂへの循環風路と、吸込口２２ａから排気口２２ｃへの換気風路の双方が形成されるので、吸込口２２ａから吸い込まれた空気は、一部は循環風路を通り吹出口２２ｂからフロントパネル５の吹出口グリル５０ｂを介して浴室内に吹き出される。また、吸込口２２ａから吸い込まれた空気の残部は、換気風路及び排気口２２ｃを通り、屋外へ排気される。
【００４６】
これにより、風路切替ダンパ２３を循環換気位置として、ファンモータ２０Ｍが駆動されると、ヒータ２０Ｈに非通電の場合は、浴室内の空気を循環させながら、浴室内の湯気や湿気が排気される。
【００４７】
一方、ヒータ２０Ｈに通電した場合は、浴室内の空気を循環させて浴室内に温風を吹き出しながら、浴室内の湯気や湿気が排気される。
【００４８】
＜第１の実施の形態の浴室換気乾燥暖房機の作用効果例＞
第１の実施の形態の浴室換気乾燥暖房機１Ａは、取付金具１０３との間に天井パネル１００を挟持するフランジ部２４の上面に、アルミテープ２７を介してパッキン２７ａが貼り付けられており、浴室内に面したフランジ部２４と天井パネル１００との間の隙間がパッキン２７ａで塞がれる。これにより、浴室内の湯気等による水分や湿気が、天井裏に漏れることを防いでいる。
【００４９】
浴室換気乾燥暖房機１Ａは、天井パネル１００に取り付けられると、本体部２を覆う不燃ケース３が、天井パネル１００に形成された開口部１０２から天井裏に入れられる形態である。これにより、浴室の天井裏には、樹脂材料で構成される本体部２は直接露出しない。
【００５０】
天井パネル１００の開口部１０２は、浴室換気乾燥暖房機１Ａの設置作業性を考慮して、不燃ケース３より若干大きく形成される。このため、浴室換気乾燥暖房機１Ａが天井パネル１００に取り付けられると、フランジ部２４の上面の一部が開口部１０２に露出する。
【００５１】
フランジ部２４の上面で、天井パネル１００の開口部１０２に露出する部分には、全周にわたってアルミテープ２７が貼り付けられており、天井パネル１００の開口部１０２にフランジ部２４の樹脂部分は直接露出しない。
【００５２】
また、本体シャーシ２１を覆う不燃ケース３の下端部３０Ｕとフランジ部２４の上面のアルミテープ２７の間には、不燃ケース３の内部の本体シャーシ２１が、外部からの熱に直接晒されるような隙間が形成されない。これにより、本体部２を構成する本体シャーシ２１の樹脂部分は、天井パネル１００の開口部１０２から天井裏に直接露出しない。
【００５３】
第１の実施の形態の浴室換気乾燥暖房機１Ａが設置された建物で万一火災が発生した場合を想定する。火が浴室の天井裏に延焼しても、浴室換気乾燥暖房機１Ａは、天井裏に入れられる本体部２が金属の不燃ケース３で覆われているので、樹脂材料で構成される本体シャーシ２１の発火が防止される。
【００５４】
また、天井パネル１００に取り付けられるフランジ部２４の上面で、天井パネル１００の開口部１０２に露出する部分には、全周にわたってアルミテープ２７が貼り付けられているので、樹脂材料で構成される本体シャーシ２１のフランジ部２４からの発火が防止される。
【００５５】
更に、本体シャーシ２１を覆う不燃ケース３の下端部３０Ｕとフランジ部２４の上面のアルミテープ２７の間には、不燃ケース３の内部の本体シャーシ２１が、外部からの熱に直接晒されるような隙間が形成されないので、樹脂材料で構成される本体シャーシ２１の発火が防止される。
【００５６】
＜第２の実施の形態の浴室換気乾燥暖房機の構成例＞
図４は、第２の実施の形態の浴室換気乾燥暖房機の一例を示す断面図である。以下の説明では、第１の実施の形態の浴室換気乾燥暖房機１Ａと同等の構成については、同じ番号を付して説明を省略する。
【００５７】
第２の実施の形態の浴室換気乾燥暖房機１Ｂは、不燃ケース３と本体部２を構成する本体シャーシ２１の間に配置される断熱材２８を備える。断熱材２８は、例えば、耐熱性及び難燃性のグラスウール、耐熱性及び難燃性の樹脂材料による固形あるいは成形された断熱材、多孔質構造等の芯材が耐熱性及び難燃性のラミネートフィルムで被覆され、内部が減圧されて封止された真空断熱材等で構成される。
【００５８】
本体部２を構成する本体シャーシ２１に不燃ケース３が被せられると、本体シャーシ２１のファンケース部２１ａの側部及び上部と、不燃ケース３の内面との間に空間Ｅが形成される。
【００５９】
グラスウール等による断熱材２８は、不燃ケース３と本体シャーシ２１との間の空間Ｅが埋まるように入れられる。これにより、不燃ケース３で覆われる本体シャーシ２１が、不燃ケース３の外部に対して断熱されると共に、不燃ケース３と本体シャーシ２１の間の空気層が実質的に無くなる。
【００６０】
または、断熱材２８は、難燃性のウレタンフォーム等、発泡樹脂によるフォーミング材で構成しても良い。フォーミング材による断熱材２８は、不燃ケース３の内面、または本体シャーシ２１のファンケース部２１ａの表面、あるいは、不燃ケース３の内面と本体シャーシ２１のファンケース部２１ａの表面の両方に吹き付けられる。
【００６１】
本体シャーシ２１に不燃ケース３が被せられると、不燃ケース３と本体シャーシ２１との間の空間Ｅが断熱材２８で封止される。これにより、不燃ケース３と本体シャーシ２１との間の空間Ｅを酸欠状態として、不燃ケース３で覆われる本体シャーシ２１が、不燃ケース３の外部に対して断熱される。
【００６２】
＜第２の実施の形態の浴室換気乾燥暖房機の作用効果例＞
第２の実施の形態の浴室換気乾燥暖房機１Ｂが設置された建物で万一火災が発生した場合を想定する。火が浴室の天井裏に延焼しても、浴室換気乾燥暖房機１Ｂは、天井裏に入れられる本体部２が金属の不燃ケース３で覆われ、本体部２を構成する本体シャーシ２１が断熱材２８で断熱されているので、本体シャーシ２１への熱の伝導が抑えられる。これにより、樹脂材料で構成される本体シャーシ２１の発火が防止される。
【００６３】
また、断熱材２８がフォーミング材で構成される場合、不燃ケース３と本体シャーシ２１との間の空間Ｅが酸欠状態となっているので、本体シャーシ２１への熱の伝導が抑えられることに加えて、より確実に本体シャーシ２１の発火が防止される。
【００６４】
なお、第２の実施の形態の浴室換気乾燥暖房機１Ｂにおいて、第１の実施の形態の浴室換気乾燥暖房機１Ａと同様に、図２及び図３に示すようにフランジ部２４の上面にアルミテープ２７を貼り付ける構成としても良い。
【００６５】
＜第３の実施の形態の浴室換気乾燥暖房機の構成例＞
図５は、第３の実施の形態の浴室換気乾燥暖房機の一例を示す断面図である。以下の説明では、第１の実施の形態の浴室換気乾燥暖房機１Ａと同等の構成については、同じ番号を付して説明を省略する。
【００６６】
第３の実施の形態の浴室換気乾燥暖房機１Ｃは、本体シャーシ２１において不燃ケース３に覆われるファンケース部２１ａの表面に、ニッケルクロームメッキ処理等により形成される金属薄膜層２９を備える。本体シャーシ２１は、少なくとも不燃ケース３に覆われる部分は、樹脂の表面が空気に晒されない状態とする。
【００６７】
＜第３の実施の形態の浴室換気乾燥暖房機の作用効果例＞
第３の実施の形態の浴室換気乾燥暖房機１Ｃが設置された建物で万一火災が発生した場合を想定する。火が浴室の天井裏に延焼しても、浴室換気乾燥暖房機１Ｃは、天井裏に入れられる本体部２が金属の不燃ケース３で覆われ、本体部２を構成する本体シャーシ２１の不燃ケース３に覆われる部分は、金属薄膜層２９が形成されることで樹脂の表面が空気に晒されない。これにより、本体シャーシ２１の発火が防止される。
【００６８】
なお、第３の実施の形態の浴室換気乾燥暖房機１Ｃにおいて、フランジ部２４の上面にも金属薄膜層２９を形成する構成としても良い。また、第１の実施の形態の浴室換気乾燥暖房機１Ａと同様に、図２及び図３に示すようにフランジ部２４の上面にアルミテープ２７を貼り付ける構成としても良い。更に、第２の実施の形態の浴室換気乾燥暖房機１Ｂと同様に、不燃ケース３と本体シャーシ２１との間に断熱材２８を備える構成としても良い。
【産業上の利用可能性】
【００６９】
本発明は、熱源を有した空調装置等の設備機器に適用される。
【図面の簡単な説明】
【００７０】
【図１】第１の実施の形態の浴室換気乾燥暖房機の一例を示す断面図である。
【図２】第１の実施の形態の浴室換気乾燥暖房機の一例を示す要部断面図である。
【図３】第１の実施の形態の浴室換気乾燥暖房機の一例を示す平面図である。
【図４】第２の実施の形態の浴室換気乾燥暖房機の一例を示す断面図である。
【図５】第３の実施の形態の浴室換気乾燥暖房機の一例を示す断面図である。
【符号の説明】
【００７１】
１Ａ，１Ｂ，１Ｃ・・・浴室換気乾燥暖房機、２・・・本体部、２１・・・本体シャーシ、２１ａ・・・ファンケース部、２４・・・フランジ部、２７・・・アルミテープ、２７ａ・・・パッキン、２８・・・断熱材、２９・・・金属薄膜層、３・・・不燃ケース、１００・・・天井パネル、１０２・・・開口部
【図１】
2010112660.tif 000003
【図２】
2010112660.tif 000004
【図３】
2010112660.tif 000005
【図４】
2010112660.tif 000006
【図５】
2010112660.tif 000007